(57)【要約】【課題】タッチ操作する際の操作性と複数点のタッチ位置を検出する際の正確性とを両立させる。【解決手段】タッチ位置検出システム１は、タッチパネルにタッチされた箇所の点数をタッチ数として検出するタッチ数検出部１２と、タッチパネルにタッチされた箇所の座標をタッチ座標として検出するタッチ座標検出部１３と、タッチ数検出部の検出結果及びタッチ座標検出部の検出結果によりタッチ情報を制御するタッチ情報制御部１４，１６と、タッチ情報制御部からの表示指示により画面表示を制御する表示制御部１５，１７と、を備える。１点のタッチ操作が判定されると、タッチ座標検出部又はタッチ情報制御部のうち少なくとも何れか一方が操作性重視の処理を行い、複数点のタッチ操作が判定されると、タッチ座標検出部又はタッチ情報制御部のうち少なくとも何れか一方が正確性重視の処理を行う。【選択図】図１
2020160712.tif 000002
【特許請求の範囲】
【請求項１】
タッチパネルにタッチされた箇所の点数をタッチ数として検出するタッチ数検出部（１２）と、
タッチパネルにタッチされた箇所の座標をタッチ座標として検出するタッチ座標検出部（１３）と、
前記タッチ数検出部の検出結果及び前記タッチ座標検出部の検出結果によりタッチ情報を制御するタッチ情報制御部（１４，１６）と、
前記タッチ情報制御部からの表示指示により画面表示を制御する表示制御部（１５，１７）と、を備え、
１点のタッチ操作が前記タッチ数検出部により判定されると、前記タッチ座標検出部又は前記タッチ情報制御部のうち少なくとも何れか一方が操作性重視の処理を行い、複数点のタッチ操作が前記タッチ数検出部により判定されると、前記タッチ座標検出部又は前記タッチ情報制御部のうち少なくとも何れか一方が正確性重視の処理を行うタッチ位置検出システム。
【請求項２】
複数点のタッチ操作が前記タッチ数検出部により判定されたが、画面表示が正確性重視の描画状態でないと判定されると、前記タッチ座標検出部又は前記タッチ情報制御部のうち少なくとも何れか一方が操作性重視の処理を行い、複数点のタッチ操作が前記タッチ数検出部により判定され、且つ画面表示が正確性重視の描画状態であると判定されると、前記タッチ座標検出部又は前記タッチ情報制御部のうち少なくとも何れか一方が正確性重視の処理を行う請求項１に記載したタッチ位置検出システム。
【請求項３】
タッチパネルに加わった押圧を圧電素子層により検出する押圧検出部（２５）を備え、
前記タッチ座標検出部は、前記押圧検出部の検出結果を用いてタッチパネルにタッチされた箇所の座標をタッチ座標として検出する請求項１又は２に記載したタッチ位置検出システム。
【請求項４】
前記タッチ座標検出部は、操作性重視の処理を行う場合には、タッチ操作直後の不安定な座標を検出対象から除外せずにタッチ座標の更新時間を相対的に短くする処理を行い、正確性重視の処理を行う場合には、タッチ操作直後の不安定な座標を検出対象から除外してタッチ座標の更新時間を相対的に長くする処理を行う請求項１から３の何れか一項に記載したタッチ位置検出システム。
【請求項５】
前記タッチ情報制御部は、操作性重視の処理を行う場合には、フィルタを解除してタッチ座標を出力するまでの移動平均段数を相対的に減らす処理を行い、正確性重視の処理を行う場合には、フィルタを設定してタッチ座標を出力するまでの移動平均段数を相対的に増やす処理を行う請求項１から４の何れか一項に記載したタッチ位置検出システム。
【請求項６】
車載装置（２）を備え、
前記車載装置は、前記タッチ数検出部と、前記タッチ座標検出部と、前記タッチ情報制御部と、前記表示制御部と、を備える請求項１から５の何れか一項に記載したタッチ位置検出システム。
【請求項７】
車載装置（２）と、前記車載装置とデータ通信可能な外部装置（３）と、を備え、
前記車載装置は、前記タッチ数検出部と、前記タッチ座標検出部と、前記タッチ情報制御部と、を備え、
前記外部装置は、前記表示制御部を備える請求項１から５の何れか一項に記載したタッチ位置検出システム。
【発明の詳細な説明】
【技術分野】
【０００１】
本発明は、タッチ位置検出システムに関する。
【背景技術】
【０００２】
従来より、例えば車両に搭載されているナビゲーション装置にはＨＭＩ（Human Machine Interface）としてタッチパネルが設けられている。タッチパネルは、タッチ操作を検出する方法により静電容量方式や抵抗膜方式等に区分される。近年では、例えばナビゲーション装置においてもスマートフォン等の携帯端末と同様の操作性が求められており、例えば特許文献１、２には、複数点のタッチ操作を同時に検出するマルチタッチ機能を有する抵抗膜方式のタッチパネルの構成が開示されている。
【先行技術文献】
【特許文献】
【０００３】
【特許文献１】特開２０１０−２５０８０１号公報
【特許文献２】特開２０１０−２１１４８２号公報
【発明の概要】
【発明が解決しようとする課題】
【０００４】
抵抗膜方式のタッチパネルでは、タッチパネルへの押圧力により検出精度が変化するので、複数点のタッチ位置を正確に検出することができない問題がある。この問題に対し、タッチ操作直後の不安定な座標を検出対象から除外してタッチ座標の更新時間を長くしたり、フィルタを設定してタッチ座標を出力するまでの移動平均段数を増やしたりすることで、複数点のタッチ位置を検出する際の正確性を高めることが考えられる。
【０００５】
しかしながら、上記した構成では、複数点のタッチ位置を検出する際の正確性を高めることができるが、タッチ座標の更新時間を長くしたり、タッチ座標を出力するまでの移動平均段数を増やしたりすることで、例えば画面表示がタッチ操作に即座に追従しなくなる等の操作性が失われるという問題がある。
【０００６】
本発明は、上記した事情に鑑みてなされたものであり、その目的は、タッチ操作する際の操作性と複数点のタッチ位置を検出する際の正確性とを両立させることができるタッチ位置検出システムを提供することにある。
【課題を解決するための手段】
【０００７】
請求項１に記載した発明によれば、タッチ数検出部（１２）は、タッチパネルにタッチされた箇所の点数をタッチ数として検出する。タッチ座標検出部（１３）は、タッチパネルにタッチされた箇所の座標をタッチ座標として検出する。タッチ情報制御部（１４，１６）は、タッチ数検出部の検出結果及びタッチ座標検出部の検出結果によりタッチ情報を制御する。表示制御部（１５，１７）は、タッチ情報制御部からの表示指示により画面表示を制御する。１点のタッチ操作がタッチ数検出部により判定されると、タッチ座標検出部又はタッチ情報制御部のうち少なくとも何れか一方が操作性重視の処理を行い、複数点のタッチ操作がタッチ数検出部により判定されると、タッチ座標検出部又はタッチ情報制御部のうち少なくとも何れか一方が正確性重視の処理を行う。
【０００８】
１点のタッチ操作を判定すると、タッチ座標検出部又はタッチ情報制御部のうち少なくとも何れか一方が操作性重視の処理を行うことで、正確性よりも操作性を優先させることができ、タッチ操作する際の操作性を高めることができる。一方、複数点のタッチ操作を判定すると、タッチ座標検出部又はタッチ情報制御部のうち少なくとも何れか一方が正確性重視の処理を行うことで、操作性よりも正確性を優先させることができ、複数点のタッチ位置を検出する際の正確性を高めることができる。これにより、タッチ操作する際の操作性と複数点のタッチ位置を検出する際の正確性とを両立させることができる。
【図面の簡単な説明】
【０００９】
【図１】第１実施形態の全体構成を示す図
【図２】上部層及び下部層を模式的に示す図
【図３】フローチャート
【図４】第２実施形態を示すフローチャート
【図５】第３実施形態の全体構成を示す図
【図６】上部層、下部層及び圧電素子層を模式的に示す図
【発明を実施するための形態】
【００１０】
（第１実施形態）
以下、第１実施形態について図１から図３を参照して説明する。ユーザがタッチパネルに対して行うタッチ操作は、１点のタッチ操作と２点のタッチ操作がある。１点のタッチ操作は、指先でタッチパネルを１回叩くタップ、指先でタッチパネルを長く押す長押し、指先でタッチパネルに触れて素早く払うフリック、指先でタッチパネルに触れてスライドさせるスワイプ等である。２点のタッチ操作は、２本の指先でタッチパネルに触れて指先の間隔を狭めるピンチイン、２本の指先でタッチパネルに触れて指先の間隔を広げるピンチアウト等である。
【００１１】
図１に示すように、タッチ位置検出システム１は、車両に搭載されているナビゲーション装置２と、外部装置３とがデータ通信可能に構成される。外部装置３は、例えばユーザが携帯可能なスマートフォンやタブレット等の携帯端末である。ナビゲーション装置２と外部装置３とは、例えばＵＳＢ（Universal Serial Bus）やＢｌｕｅｔｏｏｔｈ（登録商標）の通信規格に準拠したデータ通信方式によりデータ通信を行う。即ち、ユーザが外部装置３を車室内に持込み、その外部装置３がナビゲーション装置２とデータ通信可能に接続され、例えば外部装置３にインストールされている地図アプリが起動すると、地図データが外部装置３からナビゲーション装置２に転送され、ナビゲーション装置２に地図画面が表示される。ユーザは、ナビゲーション装置２のタッチパネルにタッチ操作して地図画面を操作することで、外部装置３にインストールされている地図アプリのサービスを受けることができる。
【００１２】
ナビゲーション装置２は、ディスプレイ部４と、システム部５とを有する。ディスプレイ部４は、ユーザがタッチ操作可能なタッチパネル６と、タッチ制御部７と、画面表示部８とを有する。図２に示すように、タッチパネル６は、上部層９と、下部層１０とを有する。上部層９は、指やペン等によりタッチ操作される層であり、例えばテレフタル酸ポリエチレン（ＰＥＴ）等から構成されている。上部層９には、第１方向に配列されている複数の第１電極９ａ，９ｂが形成されている。第１電極９ａ，９ｂは、例えばインジウムスズ酸化物（ＩＴＯ（Indium Tin Oxide））、インジウム亜鉛酸化物（ＩＺＯ（Indium Zinc Oxide））等の透明導電性物質から構成されている。下部層１０は、例えばガラス、プラスチック、テレフタル酸ポリエチレン等から構成されている。下部層１０には第１方向に直交する第２方向に配列されている複数の第２電極１０ａ，１０ｂが形成されている。第２電極１０ａ，１０ｂは、第１電極９ａ，９ｂと同様に、例えばインジウムスズ酸化物、インジウム亜鉛酸化物等の透明導電性物質から構成されている。
【００１３】
上部層９と下部層１０とは、第１電極９ａ，９ｂ及び第２電極１０ａ，１０ｂが形成されていない非タッチ領域で接着剤により合着されている。即ち、接着剤の高さにより上部層９と下部層１０との離隔距離が設定されている。上部層９と下部層１０との間には、エポキシ、アクリル樹脂等の絶縁性樹脂から構成されるスペーサが配置されており、スペーサにより第１電極９ａ，９ｂと第２電極１０ａ，１０ｂとの間で所定のギャップが維持されている。タッチパネル６は、例えば指先やペン等により上部層９がタッチ操作されると、第１電極９ａ，９ｂと第２電極１０ａ，１０ｂとが接触し、上部層９と下部層１０との間の抵抗１１ａ，１１ｂの抵抗値が変化して電圧が変化し、その電圧の変化をタッチ情報としてタッチ制御部７に出力する。
【００１４】
タッチ制御部７は、タッチ数検出部１２と、タッチ座標検出部１３とを有する。タッチ数検出部１２は、タッチパネル６からタッチ情報を入力すると、その入力したタッチ情報によりタッチパネル６にタッチされた箇所の点数をタッチ数として検出し、その検出したタッチ数をシステム部５に出力する。タッチ座標検出部１３は、タッチパネル６からタッチ情報を入力すると、その入力したタッチ情報によりタッチパネル６にタッチされた箇所の座標をタッチ座標として検出し、その検出したタッチ座標をシステム部５に出力する。
【００１５】
タッチ座標検出部１３は、操作性重視の処理又は正確性重視の処理のうち何れかを選択して行う。タッチ座標検出部１３は、タッチ数検出部１２の検出結果から１点のタッチ操作であると判定すると、１点の座標を取得し、その取得した１点の座標を用い、操作性重視の処理を行う。タッチ座標検出部１３は、操作性重視の処理としてタッチ操作直後の不安定な座標を検出対象から除外せずにタッチ座標の更新時間を相対的に短くする処理を行う。一方、タッチ座標検出部１３は、タッチ数検出部１２の検出結果から２点のタッチ操作であると判定すると、２点の座標を取得し、その取得した２点の座標のそれぞれに対し、正確性重視の処理を行う。タッチ座標検出部１３は、正確性重視の処理としてタッチ操作直後の不安定な座標を検出対象から除外してタッチ座標の更新時間を相対的に長くする処理を行う。
【００１６】
システム部５は、タッチ情報制御部１４と、表示制御部１５とを有する。タッチ情報制御部１４は、外部機器３がナビゲーション装置２に接続されていない状態でタッチ制御部７からタッチ数及びタッチ座標を入力すると、その入力したタッチ数及びタッチ座標によりタッチ情報を制御する。タッチ情報制御部１４は、操作性重視の処理又は正確性重視の処理のうち何れかを選択して行う。
【００１７】
タッチ情報制御部１４は、１点のタッチ操作であると判定すると、１点の座標を取得し、その取得した１点の座標を用い、操作性重視の処理を行う。タッチ情報制御部１４は、操作性重視の処理としてフィルタを解除してタッチ座標を出力するまでの移動平均段数を相対的に減らす処理を行う。一方、タッチ情報制御部１４は、２点のタッチ操作であると判定すると、２点の座標を取得し、その取得した２点の座標のそれぞれに対し、正確性重視の処理を行う。タッチ情報制御部１４は、正確性重視の処理としてフィルタを設定してタッチ座標を出力するまでの移動平均段数を相対的に増やす処理を行う。タッチ情報制御部１４は、操作性重視の処理又は正確性重視の処理のうち何れかを行うと、その行った処理に応じて表示指示を表示制御部１５に出力する。
【００１８】
一方、タッチ情報制御部１４は、外部機器３がナビゲーション装置２に接続されている状態でタッチ制御部７からタッチ数及びタッチ座標を入力すると、その入力したタッチ数及びタッチ座標を外部機器３に転送する。
【００１９】
表示制御部１５は、タッチ情報制御部１４から表示指示を入力すると、映像信号を画面表示部８に出力する。画面表示部８は、表示制御部１５から映像信号を入力すると、その入力した映像信号により画面表示を行う。画面表示部８は、タッチ座標検出部１３やタッチ情報制御部１４が操作性重視の処理を行った場合には、操作性重視の画面表示を行う。画面表示部８が操作性重視の画面表示を行う場合には、上記したようにタッチ座標検出部１３やタッチ情報制御部１４が操作性重視の処理を行ったことで、画面表示がタッチ操作に即座に追従するようになる。一方、画面表示部８は、タッチ座標検出部１３やタッチ情報制御部１４が正確性重視の処理を行った場合には、正確性重視の画面表示を行う。画面表示部８が正確性重視の画面表示を行う場合には、上記したようにタッチ座標検出部１３やタッチ情報制御部１４が正確性重視の処理を行ったことで、タッチ位置が正確に検出されるようになる。
【００２０】
外部機器３は、システム部５と同様に、タッチ情報制御部１６と、表示制御部１７とを有する。タッチ情報制御部１６は、外部機器３がナビゲーション装置２に接続されている状態でナビゲーション装置２からタッチ数及びタッチ座標が転送されると、その転送されたタッチ数及びタッチ座標によりタッチ情報を制御する。タッチ情報制御部１６は、タッチ情報制御部１４と同様に、操作性重視の処理又は正確性重視の処理のうち何れかを選択して行う。
【００２１】
タッチ情報制御部１６は、１点のタッチ操作であると判定すると、１点の座標を取得し、その取得した１点の座標を用い、操作性重視の処理を行う。タッチ情報制御部１６は、操作性重視の処理としてフィルタを解除してタッチ座標を出力するまでの移動平均段数を相対的に減らす処理を行う。一方、タッチ情報制御部１６は、２点のタッチ操作であると判定すると、２点の座標を取得し、その取得した２点の座標のそれぞれに対し、正確性重視の処理を行う。タッチ情報制御部１６は、正確性重視の処理としてフィルタを設定してタッチ座標を出力するまでの移動平均段数を相対的に増やす処理を行う。タッチ情報制御部１４は、操作性重視の処理又は正確性重視の処理のうち何れかを行うと、その行った処理に応じて表示指示を表示制御部１７に出力する。
【００２２】
表示制御部１７は、タッチ情報制御部１６から表示指示を入力すると、映像信号を表示制御部１５に転送する。表示制御部１５は、外部機器３から映像信号が転送されると、その転送された映像信号を画面表示部８に出力する。画面表示部８は、表示制御部１５から映像信号を入力すると、その入力した映像信号により画面表示を行う。画面表示部８は、タッチ座標検出部１３やタッチ情報制御部１６が操作性重視の処理を行った場合には、操作性重視の画面表示を行う。一方、画面表示部８は、タッチ座標検出部１３やタッチ情報制御部１６が正確性重視の処理を行った場合には、正確性重視の画面表示を行う。
【００２３】
次に、上記した構成の作用について図３を参照して説明する。尚、ここでは、外部機器３がナビゲーション装置２に接続されている場合を説明する。タッチ位置検出システム１は、タッチ操作の開始を待機している（Ｓ１）。タッチ位置検出システム１は、例えば指先がタッチパネル６に触れたことで、タッチ操作の開始を判定すると（Ｓ１：ＹＥＳ）、タッチ数検出部１２において１点のタッチ操作であるか２点のタッチ操作であるかを判定する（Ｓ２，Ｓ３）。
【００２４】
タッチ位置検出システム１は、１点のタッチ操作を判定すると（Ｓ２：ＹＥＳ）、１点のタッチ座標を取得し（Ｓ４）、その取得した１点のタッチ座標を用いて操作性重視の処理を開始する（Ｓ５）。即ち、タッチ位置検出システム１は、タッチ座標検出部１２においてタッチ操作直後の不安定な座標を検出対象から除外せずにタッチ座標の更新時間を相対的に短くする処理を開始し、タッチ情報制御部１６においてフィルタを解除してタッチ座標を出力するまでの移動平均段数を相対的に減らす処理を開始する。
【００２５】
タッチ位置検出システム１は、タッチ操作の終了を待機し（Ｓ６）、例えば指先がタッチパネル６から離れたことで、タッチ操作の終了を判定すると（Ｓ６：ＹＥＳ）、操作性重視の処理を終了する（Ｓ７）。即ち、ユーザがタッチパネル６に対して１点のタッチ操作を開始してから終了するまでは、タッチ座標検出部１２及びタッチ情報制御部１６が操作性重視の処理を行うことで、操作性重視の画面表示を行うことになる。
【００２６】
一方、タッチ位置検出システム１は、２点のタッチ操作を判定すると（Ｓ３：ＹＥＳ）、２点のタッチ座標を取得し（Ｓ８）、その取得した２点のタッチ座標を用いて正確性重視の処理を開始する（Ｓ９）。即ち、タッチ位置検出システム１は、タッチ座標検出部１２においてタッチ操作直後の不安定な座標を検出対象から除外してタッチ座標の更新時間を相対的に長くする処理を開始し、タッチ情報制御部１６においてフィルタを設定してタッチ座標を出力するまでの移動平均段数を相対的に増やす処理を開始する。タッチ位置検出システム１は、タッチ操作の終了を待機し（Ｓ１０）、例えば指先がタッチパネル６から離れたことで、タッチ操作の終了を判定すると（Ｓ１０：ＹＥＳ）、正確性重視の処理を終了する（Ｓ１１）。即ち、ユーザがタッチパネル６に対して２点のタッチ操作を開始してから終了するまでは、タッチ座標検出部１２及びタッチ情報制御部１６が正確性重視の処理を行うことで、正確性重視の画面表示を行うことになる。
【００２７】
タッチ位置検出システム１は、１点のタッチ操作及び２点のタッチ操作でもないと判定すると（Ｓ２：ＮＯ、Ｓ３：ＮＯ）、エラー処理を行う（Ｓ１２）。以上は、外部機器３がナビゲーション装置２に接続されている場合に、タッチ座標検出部１２及びタッチ情報制御部１６において操作性重視の処理又は正確性重視の処理のうち何れかを選択して行う場合を説明したが、外部機器３がナビゲーション装置２に接続されていない場合には、タッチ座標検出部１２及びタッチ情報制御部１４において操作性重視の処理又は正確性重視の処理のうち何れかを選択して選択して行う。
【００２８】
以上に説明したように第１実施形態によれば、以下に示す作用効果を得ることができる。タッチ位置検出システム１において、１点のタッチ操作を判定すると、タッチ座標検出部１２及びタッチ情報制御部１４，１６が操作性重視の処理を行うようにした。正確性よりも操作性を優先させることができ、タッチ操作する際の操作性を高めることができる。２点のタッチ操作を判定すると、タッチ座標検出部１２及びタッチ情報制御部１４，１６が正確性重視の処理を行うようにした。操作性よりも正確性を優先させることができ、２点のタッチ位置を検出する際の正確性を高めることができる。これにより、タッチ操作する際の操作性と複数点のタッチ位置を検出する際の正確性とを両立させることができる。
【００２９】
（第２実施形態）
以下、第２実施形態について図４を参照して説明する。尚、上記した第１の実施形態と同一部分については説明を省略し、異なる部分について説明する。第２の実施形態では、画面表示が正確性重視の描画状態であるか否かを判定する。
【００３０】
外部機器３がナビゲーション装置２に接続されている場合に、タッチ位置検出システム１は、２点のタッチ操作であると判定すると（Ｓ３：ＹＥＳ）、その時点での画面表示が正確性重視の描画状態であるか否かを判定する（Ｓ２１）。タッチ位置検出システム１は、画面表示が正確性重視の描画状態でないと判定すると（Ｓ２１：ＮＯ）、１点のタッチ座標を取得し（Ｓ４）、第１実施形態で説明したステップＳ４以降を行う。一方、タッチ位置検出システム１は、画面表示が正確性重視の描画状態であると判定すると（Ｓ２１：ＹＥＳ）、２点のタッチ座標を取得し（Ｓ８）、第１実施形態で説明したステップＳ８以降を行う。
【００３１】
以上に説明したように第２実施形態によれば、１点のタッチ操作を判定したが、正確性重視の描画状態でないと判定すると、タッチ座標検出部１２及びタッチ情報制御部１４，１６が操作性重視の処理を行い、２点のタッチ操作を判定し、且つ正確性重視の描画状態であると判定すると、タッチ座標検出部１２及びタッチ情報制御部１４，１６が正確性重視の処理を行うようにした。正確性重視の描画状態であるか否かも考慮し、操作性重視の処理又は正確性重視の処理のうち何れを選択して行うかを決定することができる。
【００３２】
（第３実施形態）
以下、第３実施形態について図５及び図６を参照して説明する。尚、上記した第１の実施形態と同一部分については説明を省略し、異なる部分について説明する。第３の実施形態では、タッチパネルに加わった押圧を圧電素子層により検出する。
【００３３】
タッチ位置検出システム２１において、ナビゲーション装置２２は、ディスプレイ部２３と、システム部５とを有する。ディスプレイ部２３は、タッチパネル２４と、タッチ制御部２５と、画面表示部８とを有する。タッチ制御部２５は、タッチ数検出部１２及びタッチ座標検出部１３に加え、押圧検出部２５を有する。
【００３４】
図６に示すように、タッチパネル２４は、上部層９及び下部層１０に加え、圧電素子層２６を有する。押圧検出部２５は、タッチパネル２４に加わった押圧を圧電素子層２６により検出する。タッチ座標検出部１３は、タッチパネル２４に加わった押圧が押圧検出部２５により検出されると、その検出結果を用いてタッチパネル２４にタッチされた箇所の座標をタッチ座標として検出する。
【００３５】
以上に説明したように第３実施形態によれば、上記した第１実施形態と同様の作用効果を得ることができる。又、押圧検出部２５の検出結果を用いてタッチパネル２４にタッチされた箇所の座標をタッチ座標として検出するようにした。押圧検出部２５の検出結果を用いることで、タッチされた箇所の座標をタッチ座標としてより一層正確に検出することができる。
【００３６】
（その他の実施形態）
本開示は、実施例に準拠して記述されたが、当該実施例や構造に限定されるものではないと理解される。本開示は、様々な変形例や均等範囲内の変形をも包含する。加えて、様々な組み合わせや形態、更には、それらに一要素のみ、それ以上、或いはそれ以下を含む他の組み合わせや形態をも、本開示の範疇や思想範囲に入るものである。
【００３７】
本実施形態では、１点のタッチ操作を判定した場合に、タッチ座標検出部１３及びタッチ情報制御１４，１６の両方が操作性重視の処理を行う構成を例示したが、タッチ座標検出部１３又はタッチ情報制御１４，１６のうち何れか一方が操作性重視の処理を行う構成でも良い。又、２点のタッチ操作を判定した場合に、タッチ座標検出部１３及びタッチ情報制御１４，１６の両方が正確性重視の処理を行う構成を例示したが、タッチ座標検出部１３又はタッチ情報制御１４，１６のうち何れか一方が正確性重視の処理を行う構成でも良い。
【００３８】
本開示に記載の制御部及びその手法は、コンピュータプログラムにより具体化された一つ乃至は複数の機能を実行するようにプログラムされたプロセッサ及びメモリを構成することにより提供された専用コンピュータにより実現されても良い。或いは、本開示に記載の制御部及びその手法は、一つ以上の専用ハードウェア論理回路によりプロセッサを構成することにより提供された専用コンピュータにより実現されても良い。若しくは、本開示に記載の制御部及びその手法は、一つ乃至は複数の機能を実行するようにプログラムされたプロセッサ及びメモリと一つ以上のハードウェア論理回路により構成されたプロセッサとの組み合わせにより構成された一つ以上の専用コンピュータにより実現されても良い。又、コンピュータプログラムは、コンピュータにより実行されるインストラクションとして、コンピュータ読み取り可能な非遷移有形記録媒体に記憶されていても良い。
【符号の説明】
【００３９】
図面中、１，２１はタッチ位置検出システム、２，２２はナビゲーション装置（車載装置）、３は外部装置、１２はタッチ数検出部、１３はタッチ座標検出部、１４，１６はタッチ情報制御部、１５，１７は表示制御部、２５は押圧検出部である。
【図１】
2020160712.tif 000003
【図２】
2020160712.tif 000004
【図３】
2020160712.tif 000005
【図４】
2020160712.tif 000006
【図５】
2020160712.tif 000007
【図６】
2020160712.tif 000008